(57)【特許請求の範囲】
【請求項１】
第１通信部と、
画像処理部と、
第１制御部と、
を備え、
前記第１制御部は、
前記第１通信部を外部端末とデータ通信可能に接続する第１接続処理と、
前記第１通信部から前記外部端末に画像データを送信する送信処理と、
前記送信処理後、前記外部端末から前記画像処理部の実行を指示する命令を前記第１通信部が受信した場合に、前記画像データに対する前記画像処理部による画像処理、又は、前記外部端末による前記画像データの加工処理により生成された加工画像データを前記第１通信部が受信している場合には、当該加工画像データに対する前記画像処理部による画像処理を実行させる画像処理実行処理と、
前記送信処理後、前記命令を前記第１通信部が受信するまでの間、前記外部端末での加工画像データの作成に用いられる加工情報を前記外部端末から前記第１通信部が受信する加工情報受信処理と、
前記送信処理後、前記命令を前記第１通信部が受信するまでの間に、前記第１通信部と前記外部端末との接続が切断された後、前記第１通信部と前記外部端末とが再接続された場合に、前記加工情報受信処理によって受信した加工情報を前記第１通信部から前記外部端末に送信する加工情報送信処理と、
を有する、画像処理装置。
【請求項２】
第２通信部と、
操作部と、
第２制御部と、
を備え、
前記第２制御部は、
前記第２通信部を画像処理装置とデータ通信可能に接続する第２接続処理と、
前記第２接続処理後、前記画像処理装置から送信された画像データを前記第２通信部が受信する受信処理と、
前記受信処理によって受信した前記画像データを、前記操作部から入力された加工情報に従って加工する画像データ加工処理と、
前記画像データ加工処理が完了した後、前記画像処理装置の画像処理部に対して実行を指示する命令、及び、前記画像データ加工処理によって加工された加工画像データを前記第２通信部から前記画像処理装置に送信する第２送信処理と、
前記受信処理によって前記画像データを受信後、前記第２送信処理によって前記命令及び前記加工画像データを送信するまでの間、前記第２通信部から前記画像処理装置に前記加工情報を送信する加工情報送信処理と、
を有する、外部端末。
【請求項３】
画像処理装置及び外部端末を含む画像処理システムであって、
前記画像処理装置は、
第１通信部と、
画像処理部と、
第１制御部と、
を備え、
前記第１制御部は、
前記第１通信部を外部端末とデータ通信可能に接続する第１接続処理と、
前記第１通信部から前記外部端末に画像データを送信する送信処理と、
前記送信処理後、前記外部端末から前記画像処理部の実行を指示する命令を前記第１通信部が受信した場合に、前記画像データに対する前記画像処理部による画像処理、又は、前記外部端末による前記画像データの加工処理により生成された加工画像データを前記第１通信部が受信している場合には、当該加工画像データに対する前記画像処理部による画像処理を実行させる画像処理実行処理と、
前記送信処理後、前記命令を前記第１通信部が受信するまでの間、前記外部端末での加工画像データの作成に用いられる加工情報を前記外部端末から前記第１通信部が受信する加工情報受信処理と、
前記送信処理後、前記命令を前記第１通信部が受信するまでの間に、前記第１通信部と前記外部端末との接続が切断された後、前記第１通信部と前記外部端末とが再接続された場合に、前記加工情報受信処理によって受信した加工情報を前記第１通信部から前記外部端末に送信する加工情報送信処理と、
を有し、
前記外部端末は、
第２通信部と、
操作部と、
第２制御部と、
を備え、
前記第２制御部は、
前記第２通信部を画像処理装置とデータ通信可能に接続する第２接続処理と、
前記第２接続処理後、前記画像処理装置から送信された画像データを前記第２通信部が受信する受信処理と、
前記受信処理によって受信した前記画像データを、前記操作部から入力された加工情報に従って加工する画像データ加工処理と、
前記画像データ加工処理が完了した後、前記画像処理装置の画像処理部に対して実行を指示する命令、及び、前記画像データ加工処理によって加工された加工画像データを前記第２通信部から前記画像処理装置に送信する第２送信処理と、
前記受信処理によって前記画像データを受信後、前記第２送信処理によって前記命令及び前記加工画像データを送信するまでの間、前記第２通信部から前記画像処理装置に前記加工情報を送信する加工情報送信処理と、
を有する、画像処理システム。
【請求項４】
請求項１に記載の画像処理装置であって、
前記第１制御部は、
前記送信処理後、前記命令を前記第１通信部が受信するまでの間に、前記第１通信部と前記外部端末との接続が切断された場合に、前記画像データを前記第１通信部から前記外部端末に送信する再送信処理、
を有する、画像処理装置。
【請求項５】
請求項１又は４に記載の画像処理装置であって、
シートに形成された画像を読み取る読取部
を備え、
前記第１制御部は、
前記読取部に画像を読み取らせることにより、読取データを取得する読取処理
を有し、
前記画像データは、前記読取処理により取得された前記読取データである、画像処理装置。
【請求項６】
請求項１、４又は５に記載の画像処理装置であって、
前記加工情報送信処理は、前記第１通信部と前記外部端末との接続が切断された後、前記第１通信部と前記外部端末とが再接続された場合に、前記第１通信部との接続が切断された前記外部端末と前記第１通信部に再接続された前記外部端末とが一致することを条件に、前記加工情報受信処理により受信した加工情報を前記第１通信部から前記外部端末に送信する、
画像処理装置。
【発明の詳細な説明】
【技術分野】
【０００１】
本発明は、画像処理装置、画像処理装置に電気通信回線により接続された外部端末、並びに、画像処理装置及び外部端末を備える画像処理システムに関する。
【背景技術】
【０００２】
例えば、下記特許文献１には、無線インターフェースを介して、ネットワーク装置に携帯機器を通信可能に接続し、ネットワーク装置に対する設定を携帯機器から行う技術が開示されている。
【０００３】
当該技術では、使用者により、ネットワーク装置に設定する設定内容が携帯機器に入力され、一時的に携帯機器内のメモリに格納される。その後、メモリに格納されている設定内容が読み出され、携帯機器からネットワーク装置に送信される。そして、ネットワーク装置において、設定内容が設定される。
【先行技術文献】
【特許文献】
【０００４】
【特許文献１】特開２００２−３０２２８号公報
【発明の概要】
【発明が解決しようとする課題】
【０００５】
しかしながら、前述の技術では、携帯機器において設定が終了した後に、そのデータ（設定内容）をネットワーク装置に送信する。そのため、携帯機器における設定のための操作の途中で、携帯電話が予期せずにシャットダウンされた場合、使用者は、それまでに行った設定のための操作をし直す必要があった。
【０００６】
本発明の目的は、使用者が画像処理装置で実行される画像処理に関する加工情報を携帯機器等の外部端末に入力している途中で、入力済みの加工情報が外部端末から消失しても、その消失した加工情報を外部端末に入力し直す必要をなくすことができる、画像処理装置、外部端末及び画像処理システムを提供することである。
【課題を解決するための手段】
【０００７】
前記の目的を達成するため、本発明の一の局面に係る画像処理装置は、第１通信部と、画像処理部と、第１制御部とを備え、第１制御部は、第１通信部を外部端末とデータ通信可能に接続する第１接続処理と、第１通信部から外部端末に画像データを送信する送信処理と、送信処理後、外部端末から画像処理部の実行を指示する命令を第１通信部が受信した場合に、画像データに対する画像処理部による画像処理、又は、外部端末による画像データの加工処理により生成された加工画像データを第１通信部が受信している場合には、当該加工画像データに対する画像処理部による画像処理を実行させる画像処理実行処理と、送信処理後、前記命令を第１通信部が受信するまでの間、外部端末での加工画像データの作成に用いられる加工情報を外部端末から第１通信部が受信する加工情報受信処理と、送信処理後、前記命令を第１通信部が受信するまでの間に、第１通信部と外部端末との接続が切断された場合に、加工情報受信処理によって受信した加工情報を第１通信部から外部端末に送信する加工情報送信処理とを有する。
【０００８】
この構成によれば、第１通信部と外部端末との接続後、第１通信部から外部端末に画像データが送信される。そして、第１通信部が外部端末から画像処理部の実行を指示する命令を受信した場合に、画像データ又は加工画像データに対して、画像処理が実行される。
【０００９】
第１通信部から外部端末への画像データの送信後、第１通信部が外部端末から画像処理部の実行を指示する命令を受信するまでの間は、外部端末から送信される加工情報を第１通信部が受信する。
【００１０】
また、第１通信部から外部端末への画像データの送信後、第１通信部が外部端末から画像処理部の実行を指示する命令を受信するまでの間に、第１通信部と外部端末との接続が切断された場合、それまでに第１通信部が外部端末から受信した加工情報が第１通信部から外部端末に送信される。
【００１１】
これにより、第１通信部と外部端末との接続の切断が外部端末のシャットダウン等に起因するものであり、たとえ外部端末から加工情報が消失しても、その切断前に第１通信部が外部端末から加工情報を受信していれば、第１通信部と外部端末との再接続後に、外部端末から第１通信部に送信した加工情報を外部端末が取得することができる。
【００１２】
よって、使用者が加工情報を携帯機器等の外部端末に入力している途中で、入力済みの加工情報が外部端末から消失しても、その消失した加工情報を外部端末に入力し直す必要をなくすことができる。
【００１３】
本発明の一の局面に係る外部端末は、第２通信部と、操作部と、第２制御部とを備え、第２制御部は、第２通信部を画像処理装置とデータ通信可能に接続する第２接続処理と、第２接続処理後、画像処理装置から送信された画像データを第２通信部が受信する受信処理と、受信処理によって受信した画像データを、操作部から入力された加工情報に従って加工する画像データ加工処理と、画像データ加工処理が完了した後、画像処理装置の画像処理部に対して実行を指示する命令、及び、画像データ加工処理によって加工された加工画像データを第２通信部から画像処理装置に送信する第２送信処理と、受信処理によって画像データを受信後、第２送信処理によって前記命令及び加工画像データを送信するまでの間、第２通信部から画像処理装置に加工情報を送信する加工情報送信処理とを有する。
【００１４】
この構成によれば、第２通信部が画像処理装置から受信した画像データに対して、操作部から入力された加工情報に従った加工が行われる。この加工の完了により加工画像データが生成されると、第２通信部が画像処理装置に、画像処理装置の画像処理部に対して実行を指示する命令、及び、加工画像データを送信する。また、第２通信部が画像処理装置から画像データを受信した後、画像処理装置の画像処理部に対して実行を指示する命令及び加工画像データが第２通信部から画像処理装置に送信されるまでの間、加工情報が第２通信部から画像処理装置に送信される。
【００１５】
これにより、加工情報の入力の途中で、外部端末のシャットダウン等により、入力済みの加工情報が消失しても、その入力済みの加工情報が画像処理装置に保存されていれば、第２通信部と画像処理装置との再接続後に、画像処理装置に保存されている加工情報を外部端末が取得することができる。
【００１６】
よって、使用者が加工情報を携帯機器等の外部端末に入力している途中で、入力済みの加工情報が外部端末から消失しても、その消失した加工情報を外部端末に入力し直す必要をなくすことができる。
【００１７】
本発明の一の局面に係る画像処理システムは、画像処理装置が、第１通信部と、画像処理部と、第１制御部とを備え、第１制御部は、第１通信部を外部端末とデータ通信可能に接続する第１接続処理と、第１通信部から外部端末に画像データを送信する送信処理と、送信処理後、外部端末から画像処理部の実行を指示する命令を第１通信部が受信した場合に、画像データに対する画像処理部による画像処理、又は、外部端末による画像データの加工処理により生成された加工画像データを第１通信部が受信している場合には、当該加工画像データに対する画像処理部による画像処理を実行させる画像処理実行処理と、送信処理後、前記命令を第１通信部が受信するまでの間、外部端末での加工画像データの作成に用いられる加工情報を外部端末から第１通信部が受信する加工情報受信処理と、送信処理後、前記命令を第１通信部が受信するまでの間に、第１通信部と外部端末との接続が切断された場合に、加工情報受信処理によって受信した加工情報を第１通信部から外部端末に送信する加工情報送信処理とを有し、外部端末が、第２通信部と、操作部と、第２制御部とを備え、第２制御部は、第２通信部を画像処理装置とデータ通信可能に接続する第２接続処理と、第２接続処理後、画像処理装置から送信された画像データを第２通信部が受信する受信処理と、受信処理によって受信した画像データを、操作部から入力された加工情報に従って加工する画像データ加工処理と、画像データ加工処理が完了した後、画像処理装置の画像処理部に対して実行を指示する命令、及び、画像データ加工処理によって加工された加工画像データを第２通信部から画像処理装置に送信する第２送信処理と、受信処理によって画像データを受信後、第２送信処理によって前記命令及び加工画像データを送信するまでの間、第２通信部から画像処理装置に加工情報を送信する加工情報送信処理とを有する。
【００１８】
第１制御部は、送信処理後、前記命令を第１通信部が受信するまでの間に、第１通信部と外部端末との接続が切断された場合に、画像データを第１通信部から外部端末に送信する再送信処理を有していてもよい。
【００１９】
たとえば、第１通信部と外部端末との接続の切断が外部端末のシャットダウンに起因するものである場合、シャットダウンから復帰した外部端末からは、画像処理の対象となる画像データが消失しているおそれがある。第１通信部と外部端末との接続が一旦切断された後、第１通信部と外部端末とが再接続された場合、第１通信部が外部端末から受信した加工情報に加えて、画像処理の対象となる画像データが第１通信部から外部端末に送信される。
【００２０】
よって、シャットダウンから復帰した外部端末から画像処理の対象となる画像データが消失していても、第１通信部と外部端末との再接続後に、画像処理の対象となる画像データを外部端末が取得することができる。
【００２１】
画像処理装置は、シートに形成された画像を読み取る読取部を備え、第１制御部は、読取部に画像を読み取らせることにより、読取データを取得する読取処理を有し、画像データは、読取処理により取得された読取データであってもよい。
【００２２】
この構成によれば、読取部に画像を読み取らせることにより、画像処理の対象となる画像データを取得することができる。
【００２３】
加工情報送信処理は、第１通信部と外部端末との接続が切断された後、第１通信部と外部端末とが再接続された場合に、第１通信部との接続が切断された外部端末と第１通信部に再接続された外部端末とが一致することを条件に、加工情報受信処理により受信した加工情報を第１通信部から外部端末に送信してもよい。
【００２４】
この構成によれば、第１通信部との接続が切断された外部端末が第１通信部と再接続された場合に、加工情報受信処理により第１通信部が該外部端末から受信した加工情報が第１通信部から該外部端末に送信される。そのため、第１通信部との接続が切断された外部端末とは別の外部端末が第１通信部と接続された場合、第１通信部との接続が切断された外部端末から受信した加工情報が他の外部端末に誤って送信されることを抑制できる。
【発明の効果】
【００２５】
本発明によれば、使用者が画像処理装置で実行される画像処理に関する加工情報を携帯機器等の外部端末に入力している途中で、入力済みの加工情報が外部端末から消失しても、その消失した加工情報を外部端末に入力し直す必要をなくすことができる。
【図面の簡単な説明】
【００２６】
【図１】本発明の一実施形態に係るデータ処理システムの主要構成を示すブロック図である。
【図２Ａ】ＭＦＰにおける加工情報送信処理の流れを示すフローチャート（その１）である。
【図２Ｂ】ＭＦＰにおける加工情報送信処理の流れを示すフローチャート（その２）である。
【図３】切断処理の流れを示すフローチャートである。
【図４Ａ】外部端末における画像データの加工処理の流れを示すフローチャート（その１）である。
【図４Ｂ】外部端末における画像データの加工処理の流れを示すフローチャート（その２）である。
【図５】読取データのトリミング加工の一例を示す概念図である。
【図６】読取データの縮小加工の一例を示す概念図である。
【図７】読取データの付加加工の一例を示す概念図である。
【図８】第２実施形態に係る外部端末における画像データの加工処理の流れを示すフローチャートである。
【発明を実施するための形態】
【００２７】
以下では、本発明の実施の形態について、添付図面を参照しつつ詳細に説明する。
【００２８】
＜システム構成＞
【００２９】
図１に示されるように、外部端末１０及び画像処理装置の一例としてのＭＦＰ２０は、無線ＬＡＮ（Local Area Network）などの無線通信ネットワーク３０を用いて、相互に通信可能に接続されることにより、画像処理システム１を構築している。
【００３０】
外部端末１０は、第２制御部の一例としてのＡＳＩＣ１１と、ＲＯＭ１２と、ＲＡＭ１３と、キーボードやポインティングデバイスからなる操作部の一例としての第２操作部１４と、液晶ディスプレイなどからなる第２表示部１５と、無線通信ネットワーク３０による無線通信のための第２通信部１６とを備えている。
【００３１】
また、ＡＳＩＣ１１は、ＣＰＵ１７を内蔵している。ＡＳＩＣ１１には、ＭＦＰ２０との間で送受信される通信データが第２通信部１６を介して入出力される。
【００３２】
ＣＰＵ１７は、ＡＳＩＣ１１に入力される情報に基づいて、各種の処理のためのプログラムを実行することにより、第２表示部１５を制御し、第２通信部１６を介した通信を制御する。
【００３３】
ＲＯＭ１２には、ＣＰＵ１７によって実行されるプログラム及び各種の処理に必要なデータなどが格納されている。
【００３４】
ＲＡＭ１３は、ＣＰＵ１７がプログラムを実行する際のワークエリアとして使用される。
【００３５】
ＭＦＰ２０は、画像処理部の一例としての画像形成部２１、読取部の一例としての画像読取部２２、画像処理部の一例としてのファックス送受信部２３、第１表示部２４及び第１操作部２５を備えている。
【００３６】
画像形成部２１は、画像データに基づく印刷（カラー印刷又はモノクロ印刷）を実行し、シート又はディスクメディアのレーベル面に画像を形成する。画像形成の方式は、例えば、インクジェット方式である。
【００３７】
画像読取部２２は、シートに形成されている画像をシートから読み取り、画像データとして取得する。
【００３８】
ファックス送受信部２３は、電話回線を介した通信を制御し、画像データの送受信を行う。
【００３９】
第１表示部２４は、例えば、液晶ディスプレイからなる。第１表示部２４には、各種の設定画面や装置の動作状態など、各種の情報が表示される。
【００４０】
第１操作部２５は、複数の操作ボタンを備えている。使用者が操作ボタンを操作することにより、各種の指示を入力することが可能である。
【００４１】
また、ＭＦＰ２０は、第１制御部の一例としてのＡＳＩＣ２６と、ＲＯＭ２７と、記憶部の一例としてのＲＡＭ２８と、無線通信ネットワーク３０による無線通信のための第１通信部２９とを備えている。
【００４２】
ＡＳＩＣ２６は、ＣＰＵ３１を備えている。
【００４３】
ＣＰＵ３１は、各種の処理のためのプログラムを実行することにより、画像形成部２１、画像読取部２２、ファックス送受信部２３及び第１表示部２４を制御し、第１通信部２９を介した通信を制御する。
【００４４】
ＲＯＭ２７には、ＣＰＵ３１によって実行されるプログラム及び各種の処理に必要なデータなどが格納されている。
【００４５】
ＲＡＭ２８は、ＣＰＵ３１がプログラムを実行する際のワークエリアとして使用される。また、ＲＡＭ２８は、画像読取部２２により取得された画像データを記憶する。
【００４６】
＜ＭＦＰにおける加工情報送信処理＞
【００４７】
ＭＦＰ２０の電源が投入されている間、ＡＳＩＣ２６のＣＰＵ３１は、図２Ａ及び図２Ｂに示される加工情報送信処理を繰り返し実行する。
【００４８】
加工情報送信処理では、ＣＰＵ３１は、外部端末１０からの接続依頼を受け付けた場合、第１通信部２９に接続を指示し、無線通信ネットワーク３０により外部端末１０との接続を確立させる（Ｓ１）。
【００４９】
そして、ＣＰＵ３１は、外部端末１０から画像処理命令を受信したか否かを繰り返し判断する（Ｓ２）。画像処理命令は、ファックス送受信部３２を用いたファックス送信処理の実行を指示する命令、画像形成部２１を用いたコピー処理の実行を指示する命令又は画像形成部２１を用いたレーベル印刷処理の実行を指示する命令である。
【００５０】
外部端末１０から画像処理命令を受信した場合（Ｓ２：ＹＥＳ）、ＣＰＵ３１は、画像処理命令の情報をＲＡＭ２８に記憶させる（Ｓ３）。
【００５１】
そして、ＣＰＵ３１は、画像処理命令に係る画像処理に読取処理が必要であるか否かを判断する（Ｓ４）。画像処理は、画像読取部２２によって読み取った画像データ、又は、ＲＡＭ２８に既に記憶されている画像データを使用して行うことができる。使用者は、画像読取部２２によって画像データを読み取って、その画像データを使用するか、ＲＡＭ２８に既に記憶されている画像データを使用するかを選択する。この選択に従って、画像処理命令には、読取処理が必要であるか否かの情報、及び、読取処理なしで画像処理を行う場合の画像データの記憶場所の情報が付加情報として付加されている。
【００５２】
画像処理命令に係る画像処理に読取処理が必要である場合には（Ｓ４：ＹＥＳ）、ＣＰＵ３１は、画像読取部２２に画像読取を指示し、画像読取部２２に読取処理を行わせる（Ｓ５）。
【００５３】
そして、ＣＰＵ３１は、画像読取部２２による読取処理によって得られた画像データを外部端末１０に送信する（Ｓ６）。外部端末１０に送信された画像データは、外部端末１０において、加工が施される。加工には、例えば、トリミング加工、拡大／縮小加工、付加加工がある。以下では、加工が施された画像データを加工画像データという。
【００５４】
そして、ＣＰＵ３１は、画像データをＲＡＭ２８に記憶させる（Ｓ７）。
【００５５】
その後、ＣＰＵ３１は、外部端末１０からスタート命令を受信したか否かを判断する（Ｓ９）。スタート命令は、画像処理命令に係る画像処理の実行開始を指示する命令である。スタート命令には、スタート命令に引き続いて加工画像データの受信を指示する命令が付加されている場合がある。
【００５６】
一方、外部端末１０から受信した画像処理命令に係る画像処理に読取処理が必要でない場合（Ｓ４：ＮＯ）、例えば、ＲＡＭ２８に記憶されているファックス受信データである画像データを外部端末１０で加工した後、ファックス送信する場合、ＣＰＵ３１は、ＲＡＭ２８に記憶されている画像データであって、画像処理命令に係る画像データを、外部端末１０に送信する（Ｓ８）。そして、ＣＰＵ３１は、外部端末１０からスタート命令を受信したか否かを判断する（Ｓ９）。
【００５７】
外部端末１０からスタート命令を受信するまでの間（Ｓ９：ＮＯ）、ＣＰＵ３１は、外部端末１０から加工情報を受信する（Ｓ１９）。加工情報は、外部端末１０における画像データの加工に用いられる情報である。ＣＰＵ３１は、受信した加工情報をＲＡＭ２８に記憶させる。
【００５８】
その後、ＣＰＵ３１は、外部端末１０との接続が切断されたか否かを判断する（Ｓ２０）。
【００５９】
外部端末１０との接続が切断されていない場合には（Ｓ２０：ＮＯ）、外部端末１０からスタート命令を受信するか（Ｓ９：ＹＥＳ）、外部端末１０との接続が切断されるまで（Ｓ２０：ＹＥＳ）、ＣＰＵ３１は、外部端末１０から加工情報を受信する（Ｓ１９）。
【００６０】
スタート命令を受信した場合（Ｓ９：ＹＥＳ）、ＣＰＵ３１は、加工画像データの受信を指示する命令がスタート命令に付加されているか否かを判断する（Ｓ１０）。
【００６１】
加工画像データの受信を指示する命令がスタート命令に付加されている場合（Ｓ１０：ＹＥＳ）、ＣＰＵ３１は、外部端末１０から加工画像データの受信を開始する（Ｓ１１）。
【００６２】
そして、ＣＰＵ３１は、加工画像データの受信が完了するのを待つ（Ｓ１２）。ＣＰＵ３１は、受信した加工画像データをＲＡＭ２８に記憶させる。
【００６３】
加工画像データの受信を指示する命令がスタート命令に付加されていない場合には（Ｓ１０：ＮＯ）、外部端末１０からの加工画像データの受信は行われない（ステップＳ１１及びＳ１２のスキップ）。
【００６４】
その後、ＣＰＵ３１は、加工画像データがＲＡＭ２８に記憶されているか否かを判断する（Ｓ１３）。
【００６５】
加工画像データがＲＡＭ２８に記憶されている場合（Ｓ１３：ＹＥＳ）、ＣＰＵ３１は、加工画像データについて、受信している画像処理命令の種別（ファックス送信命令、コピー命令又はレーベル印刷命令）に応じた画像処理を行う（Ｓ１４）。すなわち、ファックス送信命令については、ファックス送受信部２３に加工画像データの送信を実行させる。コピー命令については、画像形成部２１にシートへの加工画像データの印刷を実行させる。レーベル印刷命令については、画像形成部２１にディスクメディアのレーベル面への加工画像データの印刷を実行させる。
【００６６】
画像処理が完了した後、ＲＡＭ２８に記憶されている加工画像データを削除する（Ｓ１５）。
【００６７】
また、ＣＰＵ３１は、ＲＡＭ２８に記憶されている画像データを削除する（Ｓ１６）。
【００６８】
さらに、ＣＰＵ３１は、ＲＡＭ２８に加工情報が記憶されている場合には、ＲＡＭ２８に記憶されている加工情報を削除して（Ｓ１７）、加工情報送信処理を終了する。
【００６９】
一方、加工画像データがＲＡＭ２８に記憶されていない場合（Ｓ１３：ＹＥＳ）、ＣＰＵ３１は、ＲＡＭ２８に記憶されている画像データについて、受信している画像処理命令の種別（ファックス送信命令、コピー命令又はレーベル印刷命令）に応じた画像処理を行う（Ｓ１８）。すなわち、ファックス送信命令については、ファックス送受信部２３に画像データの送信を実行させる。コピー命令については、画像形成部２１にシートへの画像データの印刷を実行させる。レーベル印刷命令については、画像形成部２１にディスクメディアのレーベル面への画像データの印刷を実行させる。
【００７０】
そして、ＣＰＵ３１は、ＲＡＭ２８に記憶されている画像データを削除する（Ｓ１６）。
【００７１】
また、ＲＡＭ２８に加工情報が記憶されている場合には、ＣＰＵ３１は、ＲＡＭ２８に記憶されている加工情報を削除して（Ｓ１７）、加工情報送信処理を終了する。
【００７２】
外部端末１０からスタート命令を受信する前に、外部端末１０との接続が切断された場合には（Ｓ２０：ＹＥＳ）、ＣＰＵ３１は、切断処理を実行する（Ｓ２１）。切断処理の詳細については、後述する。
【００７３】
切断処理が終了した後、ＣＰＵ３１は、切断処理において、外部端末１０に画像データが再送信されたか否かを判断する（Ｓ２２）。
【００７４】
画像データが再送信された場合（Ｓ２２：ＹＥＳ）、ＭＦＰ２０は、切断された外部端末１０と再接続されている。そのため、ＣＰＵ３１は、外部端末１０からスタート命令を受信したか否かを再び判断する（Ｓ９）。
【００７５】
画像データが再送信されていない場合（Ｓ２２：ＮＯ）、ＭＦＰ２０は、切断された外部端末１０と再接続されずに、切断から所定時間が経過している。そのため、ＣＰＵ３１は、ＲＡＭ２８に記憶されている画像データを削除する（Ｓ１６）。
【００７６】
そして、ＣＰＵ３１は、ＲＡＭ２８に記憶されている加工情報を削除して（Ｓ１７）、加工情報送信処理を終了する。
【００７７】
＜切断処理＞
【００７８】
図２ＢのステップＳ２１で実行される切断処理の流れは、図３に示されている。
【００７９】
切断処理では、ＣＰＵ３１は、外部端末１０が切断された旨のメッセージを第１表示部２４に表示させる（Ｓ２１１）。
【００８０】
そして、ＣＰＵ３１は、外部端末１０が切断されてから所定時間が経過したか否かを判断する（Ｓ２１２）。
【００８１】
所定時間が経過していない場合（Ｓ２１２：ＮＯ）、ＣＰＵ３１は、外部端末１０が再接続されたか否かを判断する（Ｓ２１３）。
【００８２】
外部端末１０が再接続されていない場合は（Ｓ２１３：ＮＯ）、ＣＰＵ３１は、前述したステップＳ２１１以降の処理を繰り返し実行する。
【００８３】
外部端末１０が再接続された場合（Ｓ２１３：ＹＥＳ）、ＣＰＵ３１は、再接続された外部端末１０は、当該再接続の前にＭＦＰ２０との接続が切断された外部端末１０であるか否かを判断する（Ｓ２１４）。
【００８４】
再接続された外部端末１０とその再接続前に切断された外部端末１０とが異なる場合（Ｓ２１４：ＮＯ）、ＣＰＵ３１は、前述したステップＳ２１１以降の処理を繰り返し実行する。
【００８５】
再接続された外部端末１０とその再接続前に切断された外部端末１０とが一致する場合（Ｓ２１４：ＹＥＳ）、ＣＰＵ３１は、ＲＡＭ２８に記憶されている加工情報を、外部端末１０に送信する（Ｓ２１５）。
【００８６】
そして、ＣＰＵ３１は、ＲＡＭ２８に記憶されている画像データを、外部端末１０に再送信し（Ｓ２１６）、切断処理をリターンする。
【００８７】
一方、外部端末１０が切断されてから所定時間が経過しても、その切断された外部端末１０が再接続されない場合（Ｓ２１２：ＹＥＳ）、ＣＰＵ３１は、切断処理をリターンする。
【００８８】
＜外部端末における画像データ加工処理＞
【００８９】
外部端末１０において、使用者により第２操作部１４が操作されて、画像データ加工用アプリケーションプログラムの起動の指示が入力されると、ＡＳＩＣ１１のＣＰＵ１７は、図４Ａ及び図４Ｂに示される画像データ加工処理を実行する。
【００９０】
画像データ加工処理では、ＣＰＵ１７は、ＭＦＰ２０に対して接続要求を送信し、ＭＦＰ２０との接続を確立する（Ｓ３１）。
【００９１】
そして、ＣＰＵ１７は、画像データ加工用アプリケーションプログラムが前回終了時に異常終了したか否かを判断する（Ｓ３２）。画像データ加工用アプリケーションプログラムが異常終了した場合、ＭＦＰ２０から受信した画像データの加工が完了しないうちに異常終了し、画像データ及び加工情報のいずれか一方又は両方を消失した可能性がある。
【００９２】
画像データ加工用アプリケーションプログラムが異常終了した場合（Ｓ３２：ＹＥＳ）、ＣＰＵ１７は、ＭＦＰ２０から加工情報を受信したか否かを判断する（Ｓ３３）。ＭＦＰ２０から受信した画像データの加工の完了前、すなわち、スタート命令の送信前に、外部端末１０からＭＦＰ２０に加工情報を送信し、その後、ＭＦＰ２０との接続が切断され、所定時間が経過するまでに再接続した場合には、ＭＦＰ２０から外部端末１０に加工情報が送信される。
【００９３】
加工情報を受信しなかった場合（Ｓ３３：ＮＯ）、ＣＰＵ１７は、ＭＦＰ２０と接続されたから所定の第２時間が経過したか否かを判断する（Ｓ３４）。
【００９４】
ＣＰＵ１７は、加工情報を受信するか、第２時間が経過するまで（Ｓ３４：ＹＥＳ）、加工情報を受信したか否かの判断（Ｓ３３）、及び、第２時間が経過したか否かの判断（Ｓ３４）を行う。
【００９５】
加工情報を受信せずに第２時間が経過した場合（Ｓ３４：ＹＥＳ）、ＣＰＵ１７は、第２操作部１４を介して、ＭＦＰ２０に実行させる画像処理機能の選択が受け付けられたか否かを、画像処理機能の選択が受け付けられるまで判断する（Ｓ３５）。
【００９６】
また、画像データ加工用アプリケーションプログラムが異常終了していない場合（Ｓ３２：ＮＯ）、ＣＰＵ１７は、第２操作部１４を介して、ＭＦＰ２０に実行させる画像処理機能の選択が受け付けられたか否かを、画像処理機能の選択が受け付けられるまで判断する（Ｓ３５）。
【００９７】
画像処理機能の選択が受け付けられた場合（Ｓ３５：ＹＥＳ）、ＣＰＵ１７は、選択された画像処理機能がファックス送信機能であるか否かを判断する（Ｓ３６）。
【００９８】
ファックス送信機能が選択された場合（Ｓ３６：ＹＥＳ）、ＣＰＵ１７は、ファックス送信機能の設定を行う（Ｓ３７）。ファックス送信機能の設定には、例えば、画像の読み取り品質及び送信先電話番号の設定が含まれる。
【００９９】
そして、ＣＰＵ１７は、ファックス送信機能の画像処理命令をＭＦＰ２０に送信する（Ｓ４２）。画像処理命令には、ファックス送信機能の設定情報が付加情報として付加される。
【０１００】
ファックス送信機能が選択されていない場合（Ｓ３６：ＮＯ）、ＣＰＵ１７は、選択された機能がコピー機能であるか否かを判断する（Ｓ３８）。
【０１０１】
コピー機能が選択された場合（Ｓ３８：ＹＥＳ）、ＣＰＵ１７は、コピー機能の設定を行う（Ｓ３９）。コピー機能の設定には、例えば、画像の読み取り品質及び印刷枚数の設定が含まれる。
【０１０２】
そして、ＣＰＵ１７は、コピー送信機能の画像処理命令をＭＦＰ２０に送信する（Ｓ４２）。画像処理命令には、コピー送信機能の設定情報が付加情報として付加される。
【０１０３】
コピー機能が選択されていない場合（Ｓ３８：ＮＯ）、ＣＰＵ１７は、選択された機能がレーベル印刷機能であるか否かを判断する（Ｓ４０）。
【０１０４】
レーベル印刷機能が選択された場合（Ｓ４０：ＹＥＳ）、ＣＰＵ１７は、レーベル印刷機能の設定を行う（Ｓ４１）。レーベル印刷機能の設定には、例えば、印刷枚数の設定が含まれる。
【０１０５】
そして、ＣＰＵ１７は、レーベル印刷機能の画像処理命令をＭＦＰ２０に送信する（Ｓ４２）。画像処理命令には、レーベル印刷機能の設定情報が付加情報として付加される。
【０１０６】
レーベル印刷機能が設定されていない場合（Ｓ４０：ＮＯ）、画像処理機能の選択が正常に受け付けられていないので、ＣＰＵ１７は、画像処理機能の選択を再び受け付ける（Ｓ３５）。
【０１０７】
画像処理命令が送信された後、ＣＰＵ１７は、ＭＦＰ２０からの画像データの受信を開始し、画像データの受信が完了したか否かを判断する（Ｓ４３）。
【０１０８】
そして、ＣＰＵ１７は、画像データ加工用アプリケーションプログラムに対して加工の開始を指示する命令（以下、「加工命令」という。）が、第２操作部１４を介して受け付けられたか否かを判断する（Ｓ４５）。
【０１０９】
一方、ＭＦＰ２０から加工情報を受信した場合（Ｓ３３：ＹＥＳ）、ＣＰＵ１７は、ＭＦＰ２０から画像データを受信する（Ｓ４４）。加工情報を受信した場合、外部端末１０における画像データの加工が完了する前に、ＭＦＰ２０との接続が切断されたことを示す。この場合、外部端末１０において、画像データが消失された可能性がある。そのため、ＭＦＰ２０から外部端末１０に画像データが再送信され、本ステップで再送信された画像データを受信する。
【０１１０】
そして、ＣＰＵ１７は、画像データ加工用アプリケーションプログラムに対して加工命令が、第２操作部１４を介して受け付けられたか否かを判断する（Ｓ４５）。
【０１１１】
画像データ加工用アプリケーションプログラムを用いて行う画像データの加工には、例えば、トリミング加工、拡大／縮小加工及び付加加工がある。
【０１１２】
トリミング加工は、図５に示されるように、画像の一部だけを切り出す加工である。
【０１１３】
トリミングについての加工の指示は、画像内において切り取る領域の指定である。例えば、図５に示されるように、矩形領域を規定する２つの対角点（Ｘ１，Ｙ１）及び（Ｘ２，Ｙ２）を指定することにより、トリミングの領域としての矩形領域が指定される。トリミングについての設定情報は、２点（Ｘ１，Ｙ１）及び（Ｘ２，Ｙ２）である。
【０１１４】
縮小加工は、図６に示されるように、画像を縮小する加工である。拡大加工は、画像を拡大する加工である。
【０１１５】
拡大／縮小についての加工の指示は、拡大又は縮小の倍率の指定である。拡大倍率及び縮小倍率は、拡大／縮小前の画像の１辺の長さに対して、拡大／縮小後の画像の１辺の長さの比率で表される。例えば、図６には、縮小倍率５０％で読取データを縮小する例が示されている。拡大／縮小についての設定情報は、拡大又は縮小の倍率である。
【０１１６】
付加加工は、図７に示されるように、画像に他の画像を付け加える加工である。
【０１１７】
付加についての加工の指示は、付加する画像の画像データ及び画像内において画像を付加する位置の指定である。例えば、図７に示されるように、画像Ｐ１の画像データ及びその付加位置（Ｘ１，Ｙ１）、並びに、画像Ｐ２の画像データ及びその付加位置（Ｘ２，Ｙ２）を指定することにより、付加する画像及びその付加位置が指定される。画像Ｐ１及び画像Ｐ２が付加される場合についての加工の指示は、画像Ｐ１の画像データ及び付加位置（Ｘ１，Ｙ１）並びに画像Ｐ２の画像データ及び付加位置（Ｘ２，Ｙ２）である。
【０１１８】
第２操作部１４を介して加工命令が受け付された場合（Ｓ４５：ＹＥＳ）、ＣＰＵ１７は、使用者が第２操作部１４を操作して、読取データに対する加工の指示を入力したことにより受け付けられた加工を、加工情報として設定する処理（以下、「加工設定処理」という。）を行う（Ｓ４６）。
【０１１９】
加工設定処理を行った後、ＣＰＵ１７は、加工情報をＭＦＰ２０に送信する（Ｓ４７）。
【０１２０】
そして、ＣＰＵ１７は、画像データに加工情報を反映させることにより、画像データを加工し、加工画像データを作成する（Ｓ４８）。
【０１２１】
そして、ＣＰＵ１７は、使用者による加工の指示の入力が終了したことにより、加工設定処理が終了したか否かを判断する（Ｓ４９）。
【０１２２】
加工設定処理が終了していない場合（Ｓ４９：ＮＯ）、ＣＰＵ１７は、使用者による次の加工の指示の入力に対する加工設定処理を行うために、前述したステップＳ４６以降の処理を実行する。使用者による加工の指示の入力が終了するまで、ステップＳ４６〜Ｓ４８の処理が繰り返される。
【０１２３】
加工命令を受け付けていない場合（Ｓ４５：ＮＯ）、ＣＰＵ１７は、ステップＳ３５の処理で選択を受け付けた機能に対するスタート命令、すなわち、ファックス送信の実行に対するスタート命令、コピーの実行に対するスタート命令又はレーベル印刷の実行に対する命令をＭＦＰ２０に送信する（Ｓ５０）。
【０１２４】
また、加工設定処理が終了した場合（Ｓ４９：ＹＥＳ）、ＣＰＵ１７は、ステップＳ３５の処理で選択を受け付けた機能に対するスタート命令をＭＦＰ２０に送信する（Ｓ５０）。このとき、スタート命令に引き続いて加工画像データをＭＦＰ２０に送信する場合には、スタート命令に、スタート命令に引き続いて加工画像データの受信を指示する命令をスタート命令に付加しておく。
【０１２５】
そして、ＣＰＵ１７は、スタート命令に加工画像データの受信を指示する命令を付加したか否かを判断する（Ｓ５１）。
【０１２６】
加工画像データの受信を指示する命令を付加した場合（Ｓ５１：ＹＥＳ）、ＣＰＵ１７は、加工画像データをＭＦＰ２０に送信して（Ｓ５２）、画像データ加工処理を終了する。
【０１２７】
加工画像データの受信を指示する命令を付加しなかった場合（Ｓ５１：ＮＯ）、ＣＰＵ１７は、加工画像データをＭＦＰ２０に送信せずに（Ｓ５２のスキップ）、画像データ加工処理を終了する。
【０１２８】
＜作用効果＞
【０１２９】
以上のように、ＭＦＰ２０において、第１通信部２９と外部端末１０との接続後、第１通信部２９から外部端末１０に画像データが送信される。そして、第１通信部２９が外部端末１０から画像処理命令を受信した場合に、画像データ又は加工画像データに対して、画像処理機能、すなわち、ファックス送信、シートへの印刷又はディスクメディアのレーベル面への印刷が実行される。
【０１３０】
第１通信部２９から外部端末１０に画像データが送信された後、第１通信部２９が外部端末１０から画像処理命令を受信するまでの間は、外部端末１０から送信される加工情報を第１通信部２９が受信する。
【０１３１】
また、第１通信部２９から外部端末１０への画像データの送信後、第１通信部２９が外部端末１０から画像処理命令を受信するまでの間に、第１通信部２９と外部端末１０との接続が切断された場合、それまでに第１通信部２９が外部端末１０から受信した加工情報が第１通信部２９から外部端末１０に送信される。
【０１３２】
これにより、第１通信部２９と外部端末１０との接続の切断が外部端末１０のシャットダウン等に起因するものであり、たとえ外部端末１０から加工情報が消失しても、その切断前に第１通信部２９が外部端末１０から加工情報を受信していれば、第１通信部２９と外部端末１０との再接続後に、外部端末１０から第１通信部２９に送信した加工情報を外部端末１０が取得することができる。
【０１３３】
よって、使用者が加工情報を携帯機器等の外部端末１０に入力している途中で、入力済みの加工情報が外部端末１０から消失しても、その消失した加工情報を外部端末１０に入力し直す必要をなくすことができる。
【０１３４】
外部端末１０は、第２通信部１６と、第２操作部１４と、ＡＳＩＣ１１とを備えている。ＡＳＩＣ１１は、第２通信部１６をＭＦＰ２０とデータ通信可能に接続し、その後、ＭＦＰ２０から送信された画像データを第２通信部１６が受信する。そして、ＡＳＩＣ１１は、受信した画像データを、第２操作部１４から入力された加工情報に従って加工し、その加工が完了した後、ＭＦＰ２０に画像処理命令及び加工画像データを送信する。また、ＡＳＩＣ１１は、画像データを受信後、画像処理命令及び加工画像データを送信するまでの間、第２通信部１６からＭＦＰ２０に対して、加工情報を送信する。
【０１３５】
これにより、第２通信部１６がＭＦＰ２０から受信した画像データに対して、第２操作部１４から入力された加工情報に従って加工が行われる。この加工の完了により加工画像データが生成されると、第２通信部１６がＭＦＰ２０に、画像処理命令及び加工画像データを送信する。また、第２通信部１６がＭＦＰ２０から画像データを受信した後、画像処理命令及び加工画像データが第２通信部１６からＭＦＰ２０に送信されるまでの間、加工情報が第２通信部１６からＭＦＰ２０に送信される。
【０１３６】
そのため、加工情報の入力の途中で、外部端末１０のシャットダウン等により、入力済みの加工情報が消失しても、その入力済みの加工情報がＭＦＰに保存されていれば、第２通信部１６とＭＦＰ２０との再接続後に、ＭＦＰ２０に保存されている加工情報を外部端末１０が取得することができる。
【０１３７】
よって、使用者が加工情報を携帯機器等の外部端末１０に入力している途中で、入力済みの加工情報が外部端末１０から消失しても、その消失した加工情報を外部端末１０に入力し直す必要をなくすことができる。
【０１３８】
ＡＳＩＣ２６は、画像データの送信後、画像処理命令を第１通信部２９により受信するまでの間に、第１通信部２９と外部端末１０との接続が切断された場合に、画像データを第１通信部２９により外部端末１０に再送信する。
【０１３９】
たとえば、第１通信部２９と外部端末１０との接続の切断が外部端末１０のシャットダウンに起因するものである場合、シャットダウンから復帰した外部端末１０からは、画像処理の対象となる画像データが消失しているおそれがある。第１通信部２９と外部端末１０との接続が一旦切断された後、第１通信部２９と外部端末１０とが再接続された場合、第１通信部２９が外部端末１０から受信した加工情報に加えて、画像処理の対象となる画像データが第１通信部２９から外部端末１０に送信される。
【０１４０】
よって、シャットダウンから復帰した外部端末１０から画像処理の対象となる画像データが消失していても、第１通信部２９と外部端末１０との再接続後に、画像処理の対象となる画像データを外部端末１０が取得することができる。
【０１４１】
ＭＦＰ２０は、シートに形成された画像を読み取る画像読取部２２を備えている。ＡＳＩＣ２６は、画像読取部２２に画像を読み取らせることにより、画像データを取得する。
【０１４２】
これにより、画像処理の対象となる画像データを取得することができる。
【０１４３】
ＡＳＩＣ２６は、第１通信部２９と外部端末１０との接続が切断された後、第１通信部２９と外部端末１０とが再接続された場合に、第１通信部２９との接続が切断された外部端末１０と第１通信部に再接続された外部端末１０とが一致することを条件に、受信した加工情報を第１通信部２９から外部端末１０に送信する。
【０１４４】
これにより、第１通信部２９との接続が切断された外部端末１０が第１通信部２９と再接続された場合に、外部端末１０から受信した加工情報が外部端末１０に送信される。そのため、第１通信部２９との接続が切断された外部端末１０とは別の外部端末１０が第１通信部２９と接続された場合、第１通信部２９との接続が切断された外部端末１０から受信した加工情報が他の外部端末１０に誤って送信されることを抑制できる。
【０１４５】
＜第２実施形態＞
【０１４６】
図４Ａ及び図４Ｂに示される画像データ加工処理の流れに代えて、図４Ａ及び図８に示される画像データ加工処理が実行されてもよい。図４Ａ及び図８に示される画像データ加工処理では、外部端末１０の電池の残量が低い場合のみ、外部端末１０からＭＦＰ２０に加工情報が送信される。図４Ａ及び図８において、ステップＳ３１〜Ｓ４５，Ｓ５０〜Ｓ５２については、図４Ａ及び図４ＢにおけるステップＳ３１〜Ｓ４５，Ｓ５０〜Ｓ５２と同一であるため、説明を省略する。
【０１４７】
第２操作部１４を介して加工命令を受け付けた場合（４５：ＹＥＳ）、ＣＰＵ１７は、加工設定処理を行う（Ｓ６１）。
【０１４８】
加工設定処理を行った後、ＣＰＵ１７は、外部端末１０の電池の残量が所定値未満であるか否かを判断する（Ｓ６２）。
【０１４９】
電池の残量が所定値未満である場合（Ｓ６２：ＹＥＳ）、ＣＰＵ１７は、加工情報をＭＦＰ２０に送信する（Ｓ６３）。
【０１５０】
そして、ＣＰＵ１７は、画像データに加工情報を反映させることにより、画像データを加工し、加工画像データを作成する（Ｓ６４）。
【０１５１】
一方、電池の残量が所定値以上である場合（Ｓ６２：ＮＯ）、ＣＰＵ１７は、加工情報をＭＦＰ２０に送信しない（Ｓ６３のスキップ）。
【０１５２】
そして、ＣＰＵ１７は、画像データに加工情報を反映させることにより、画像データを加工し、加工画像データを作成する（Ｓ６４）。
【０１５３】
そして、ＣＰＵ１７は、使用者による加工の指示の入力が終了したことにより、加工設定処理が終了したか否かを判断する（Ｓ６５）。
【０１５４】
加工設定処理が終了していない場合（Ｓ６５：ＮＯ）、ＣＰＵ１７は、使用者による次の加工の指示の入力による加工設定処理を行うために、前述したステップＳ６１以降の処理を実行する。使用者による加工の指示の入力が終了するまで、ステップＳ６１〜Ｓ６５の処理が繰り返される。
【０１５５】
これにより、電池の残量が少なくなり、外部端末１０がシャットダウンされる可能性が高くなった場合に、加工情報がＭＦＰ２０に送信される。そのため、使用者が加工の指示を携帯機器等の外部端末１０に入力している途中で、電池の残量がなくなることによって外部端末１０がシャットダウンされ、入力済みの加工情報が外部端末から消失しても、その消失した加工情報を外部端末に入力し直す必要をなくすことができる。
【０１５６】
＜変形例＞
【０１５７】
以上、本発明の実施形態について説明したが、本発明は、他の形態で実施することもできる。
【０１５８】
例えば、外部端末１０からＭＦＰ２０に加工情報が複数回送信された場合、加工の履歴として、複数の加工情報をＭＦＰ２０のＲＡＭ２８に記憶してもよい。
【０１５９】
また、前述の実施形態では、画像処理装置の一例として、画像形成部２１による印刷機能、画像読取部２２による画像読取機能及びファックス送受信部２３によるファックス送受信機能を有するＭＦＰ２０を取り上げたが、画像処理装置は、印刷機能を有する印刷装置、画像読取機能及び印刷機能を有するコピー装置、画像読取機能及びファックス送受信機能を有するファクシミリ装置など、単機能の装置であってもよい。
【０１６０】
その他、前述の構成には、特許請求の範囲に記載された事項の範囲で種々の設計変更を施すことが可能である。
【符号の説明】
【０１６１】
１      画像処理システム
１０    外部端末
１１    ＡＳＩＣ
１４    第２操作部
１６    第２通信部
１７    ＣＰＵ
２０    ＭＦＰ
２１    画像形成部
２２    画像読取部
２３    ファックス送受信部
２６    ＡＳＩＣ
２８    ＲＡＭ
２９    第１通信部
３１    ＣＰＵ
【図１】
0006365129.tif 000002
【図２Ａ】
0006365129.tif 000003
【図２Ｂ】
0006365129.tif 000004
【図３】
0006365129.tif 000005
【図４Ａ】
0006365129.tif 000006
【図４Ｂ】
0006365129.tif 000007
【図５】
0006365129.tif 000008
【図６】
0006365129.tif 000009
【図７】
0006365129.tif 000010
【図８】
0006365129.tif 000011